(57)【要約】【課題】眠るように寝つかせるために静かに安定して揺らすことができ、しかも、立って歩けるようになった乳児であっても転落するおそれのない安全なスイング式乳児ベッドを提供する。【解決手段】各隣接する脚柱と脚柱との間に下横木と中横木とを架設し左右両端に前後脚柱間に上部材を架設することにより骨組みされるベッドフレームと、ベッドフレームの中に上下可能に納まる箱型であってその中に幅方向の中央に低く湾曲する寝床板が内装される揺り籠との組合せからなり、ベッドフレームの左右両端に管状の垂直ガイドを設け、揺り籠の両端には垂直ガイドに案内されるスライドロッドを垂設し、左右両端においてベッドフレームに揺り籠をそれぞれ複数のコイルスプリングにより吊り下げた。【選択図】    図１
2004283196.tif 000002
【特許請求の範囲】
【請求項１】
各隣接する脚柱と脚柱との間に下横木と中横木とを架設し、且つ左右両端に前後脚柱間に上部材を架設することにより骨組みされるベッドフレームと、ベッドフレームの中に上下可能に納まる箱型であってその中に幅方向の中央に低く湾曲する寝床板が内装される揺り籠との組合せからなり、ベッドフレームの左右両端に管状の垂直ガイドを設け、揺り籠の両端には垂直ガイドに案内されるスライドロッドを垂設し、左右両端においてベッドフレームに揺り籠をそれぞれ複数のコイルスプリングにより吊り下げたことを特徴とするスイング式乳児ベッド。
【発明の詳細な説明】
【０００１】
【発明の属する技術分野】
この発明は、乳児を寝かすのに上下に揺動させるスイング式乳児ベッドに関する。
【０００２】
【従来の技術】
従来、乳児のベッドは、普通のベッドと同じように、四脚柱によって寝床板を支持するもので、隣接する各両脚柱との間には、下端部と中途にそれぞれ横木を架設して骨組みを構成し、中途の中横木の上に平たい寝床板が掛けられる。また、寝床板よりも上では、左右両側に固定柵が設けられ、それには前後脚柱の上端に上横木を架設し、上横木と中横木との間に多数の縦桟が配列される。また、前後両面側には左右脚柱の間を開閉できるように反転する自由柵が装着される。
【０００３】
そこで、乳児を床に寝かせるときには、前面の自由柵を開いて寝床板の上の敷布団の上に横たえてから、自由柵を閉じておけば、周囲が囲まれているため乳児が転がり落ちるおそれがなく、また、立ち上がっても越えられない高さに自由柵の寸法が設定されているので、乳児が転落する危険は防止される。しかし、いつの間にか成長し、立って自由柵に寄り掛かると身体の重心が自由柵の上を越える事態となり、そのようなときに引っ繰り返るようにして転落することがある。しかも、成長のその時点を親が気づかずにいることが非常に多い。
【０００４】
また、乳児が眠るように寝つかせるには、子守歌を歌うことの他に、揺らすことで効果があるが、従来の乳児用ベッドとでは、寝床板が中横木に掛かって固定されているため、揺らして眠らせるという操作ができなかった。しかし、ベッド全体を揺動できるように、スキーを弓形に曲げたような一対の長い足部材を取り付けたベッドを使用されることがあるが、これによると、立って歩くようになった乳児では引っ繰り返って転落しやすく、しかも、揺動が上下前後となり激しく乳児に悪影響しやすいという問題があった。
【０００５】
【発明が解決しようとする課題】
この発明は、上記のような実情に鑑みて、眠るように寝つかせるために静かに安定して揺らすことができ、しかも、立って歩けるようになった乳児であっても転落するおそれのない安全なスイング式乳児ベッドを提供することを目的とした。
【０００６】
【課題を解決するための手段】
上記の目的を達成するために、この発明は、各隣接する脚柱と脚柱との間に下横木と中横木とを架設し左右両端に前後脚柱間に上部材を架設することにより骨組みされるベッドフレームと、ベッドフレームの中に上下可能に納まる箱型であってその中に幅方向の中央に低く湾曲する寝床板が内装される揺り籠との組合せからなり、ベッドフレームの左右両端に管状の垂直ガイドを設け、揺り籠の両端には垂直ガイドに案内されるスライドロッドを垂設し、左右両端においてベッドフレームに揺り籠をそれぞれ複数のコイルスプリングにより吊り下げたことを特徴とするスイング式乳児ベッドを提供するものである。
【０００７】
スイング式乳児ベッドを上記のように構成したから、寝床板の中に乳児を寝つかせるときには、揺り籠を手で押さえる動作でコイルスプリングの弾力を伴わせながら上下運動を繰り返すと、垂直ガイドにスライドロッドが案内されるため、規則正しい垂直な揺れにより乳児が安心して眠気に誘われる。
【０００８】
また、寝床板が湾曲しているので、乳児が低い中央に沿って安定する寝た姿勢を保ち、起きても立ち上がることはできなく、若し立ち上がっても高い縁に近づけないので、外へ転落する恐れもない。しかも、起きて激しく動いても揺り籠が垂直運動をするだけ水平が保たれるので、揺り籠の中で乳児が不意に転ぶようなことはなく、また、これによっても転落が防止される。
【０００９】
【発明の実施の形態】
次に、この発明の実施の形態を図面に基づいて説明する。
【００１０】
図面は一実施の形態を示したもので、そのスイング式乳児ベッドは、ベッドフレーム１に揺り籠２が納められ、上下にのみ揺動するように、左右両端においてそれぞれ３本のコイルスプリング４，４，４により吊り下げられている。
【００１１】
ベッドフレーム１は、普通の乳児ベッドと大凡似た骨組みとなっており、四本の脚柱３，３，３，３には、隣接するどうしの間に、下横木５と中横木７とをそれぞれ架設し、左右両端には上横木に相当するものとして上部材９，９が嵌着される。また、中横木７と下横木５との間には多数の縦桟１１，１１，・・が列設されるが、左右両端においては、縦桟１１の仲間入りの如くに垂直ガイド１３が立設される。
【００１２】
また、ベッドフレーム１の下端部には、下横木５の下において底板１５を設け、その底板１５の上に発砲樹脂からなる緩衝マット１７が載せられ、それが周囲の下横木５，５，５，５に囲まれている。垂直ガイド１３は、円筒形であるが、内側に割溝１９が上端から下端部近くまで形成され、下端部にコイルスプリング２１が内装されている。
【００１３】
揺り籠２は、ベッドフレーム１の内側に納まる大きさの四角箱型であって、底部に緩衝マット２２を敷き、その上において内側には半円弧型に湾曲する寝床板２３がはめ込まれている。また、左右両端に、垂直ガイド１３，１３に嵌まるスライドロッド２５，２５を垂設し、スライドロッド２５には上下一対のスライドベアリング２７，２７が嵌着され、これで揺り籠２の上下に抵抗がかからないようにしてある。
【００１４】
揺り籠２の両端にはコイルスプリング４，４，４の取付部２９，２９，２９が突設され、各コイルスプリング４を上部材９の下端とこの取付部２９とに連結することにより揺り籠２が吊り下げられる。揺り籠２の前後両側の中央には把手３１，３１が突設されているので、把手３１を持ってコイルスプリング４の弾力に抗して揺り籠２を下へ押して手を緩めると、反発力で元の位置よりも高く浮上し、今度は落下してコイルスプリング４の弾力に抗して落下するというようにして上下揺動が自然に繰り返され、また、軽い手加減によりいつまでも垂直に揺動できる。
【００１５】
安全対策として揺り籠２が落ちる場合を想定すると、急激な落下はコイルスプリング４が全部切れるときにしか発生しない。両端で垂直ガイド１３，１３にスライドロッド２５，２５が嵌まっていることにより全体的に水平が常時保たれるから、一本でもコイルスプリング４が残っていると、それだけで揺り籠２を支持することになるからである。
【００１６】
コイルスプリング４の全部が切れるということは実際には考えられないが、切れるのを防止するために、各コイルスプリング４には図示しない安全ワイヤーまたはチェーンが納められ、コイルスプリング４の伸縮の関係から、それが緩められる状態で上部材９と取付部２９とに連結される。したがって、コイルスプリング４が切れたとしてもこの安全ワイヤーまたはチェーンが持ちこたえることになるので、万一にも揺り籠２が落下する危険はなく安全性が確保される。
【００１７】
しかし、あり得ないことにも万全の対策が施されている。すなわち、仮に、全部のコイルスプリング４が中の安全ワイヤー等とともに切れたとしても、まず、垂直ガイド１３の下端に納まるコイルスプリング２１にスライドロッド２５が当たることによりバウンドして緩衝され、重いときでも緩衝マット１７に当たって衝撃がさらに緩和される。また、緩衝マット１７に当たってときには、寝床板２３がその下の緩衝マット２２に当たってさらに緩和される。なお、寝床板２３は、通気性が良いように網目状に通気孔を設けてあることが望ましい。
【００１８】
【発明の効果】
以上説明したように、この発明のスイング式乳児ベッドによれば、揺り籠がコイルスプリングにより吊り下げられるが、垂直ガイドに対してスライドロッドが垂直に案内されるため、眠るように寝つかせるために静かに安定して揺らすことができ、しかも、立って歩けるようになった乳児であっても揺り籠から外へ転落する危険がないという優れた効果がある。
【図面の簡単な説明】
【図１】この発明の一実施の形態を示すスイング式乳児ベッドの斜視図である。
【図２】同スイング式乳児ベッドのベッドフレームの斜視図である。
【図３】同スイング式乳児ベッドの揺り籠の斜視図である。
【図４】同スイング式乳児ベッドの一部断面した側面図である。
【符号の説明】
１  ベッドフレーム
２  揺り籠
３  脚柱
４  コイルスプリング
５  下横木
７  中横木
９  上部材
１３  垂直ガイド
２３  寝床板
２５  スライドロッド
【図１】
2004283196.tif 000003
【図２】
2004283196.tif 000004
【図３】
2004283196.tif 000005
【図４】
2004283196.tif 000006